(57)【特許請求の範囲】
【請求項１】
セメント原料をプレヒータにて予熱して仮焼させた後に、窯前側に設けられた加熱手段によって内部が高温雰囲気に保持されたロータリーキルンの窯尻側に供給して、上記窯前側に送りつつ焼成するセメント製造工程を用いたアスベスト含有物の無害化処理方法であって、
上記ロータリーキルンの窯尻部分または上記ロータリーキルンの窯尻側に仮焼セメント原料を供給する上記プレヒータの後段部分から抜き出した塩素濃度が０．３６ｗｔ％以上であって、かつ８００℃以上の仮焼セメント原料を、アスベスト含有物に加えて、混合手段によって混合し、得られた混合物をペレット状に造粒して上記ロータリーキルンの上記窯尻部分に戻すとともに、上記混合手段の内部に換気用気体を供給し、かつ上記混合手段の内部の気体を上記ロータリーキルンの上記窯前側から燃焼用空気の一部として供給することを特徴とするアスベスト含有物の無害化処理方法。
【請求項２】
上記仮焼セメント原料と上記アスベスト含有物とに、さらに上記セメント製造工程から排出される塩素バイパスダストを加えて上記混合手段によって混合することを特徴とする請求項１に記載のアスベスト含有物の無害化処理方法。
【請求項３】
上記仮焼セメント原料と上記アスベスト含有物とに、さらにフッ化カルシウムを含むフッ化物汚泥を加えて上記混合手段によって混合することを特徴とする請求項１または２に記載のアスベスト含有物の無害化処理方法。
【請求項４】
上記アスベスト含有物を粉砕手段によって粉砕した後に、上記仮焼セメント原料を加えて上記混合手段によって混合することを特徴とする請求項１ないし３のいずれか１項に記載のアスベスト含有物の無害化処理方法。
【請求項５】
上記仮焼セメント原料と上記アスベスト含有物とを、加熱手段によって加熱することを特徴とする請求項１ないし４のいずれか１項に記載のアスベスト含有物の無害化処理方法。
【請求項６】
上記混合手段によって、上記仮焼セメント原料と上記アスベスト含有物とを混合した後に、上記ロータリーキルンの窯尻部分に戻すことを特徴とする請求項１ないし５のいずれか１項に記載のアスベスト含有物の無害化処理方法。
【請求項７】
請求項１ないし６のいずれかに１項に記載のアスベスト含有物の無害化処理方法を用いたセメントの製造方法であって、
上記アスベスト含有物に、上記ロータリーキルンの窯尻部分または上記プレヒータの後段部分から抜き出した塩素化合物を含有するセメント原料を加えて、混合した混合物を、上記ロータリーキルンの上記窯尻部分に戻して、この混合物中に含まれている仮焼セメント原料を、その他のセメント原料とともに焼成してセメントとし、かつ上記アスベスト含有物を上記セメントの一部とすることを特徴とするセメントの製造方法。
【発明の詳細な説明】
【技術分野】
【０００１】
本発明は、セメント製造工程を利用して、アスベストを含む廃棄物等を無害化処理するためのアスベスト含有物の無害化処理方法およびこの処理方法を利用したセメントの製造方法に関するものである。
【背景技術】
【０００２】
アスベスト（石綿）は、天然に生成された鉱物繊維であり、化学的安定性を有するとともに、耐熱性や強度に優れることから、その特性を利用して、これまで耐火被覆材、断熱材、吸音材等として、建築物の壁、天井、床、空調設備等に広く使用されていた。
ところが、近年このアスベストは、化学的な毒性はないものの、その結晶構造が針状であるために、人が吸い込んだ場合に、肺の組織に刺さって排出されずに蓄積し、長期間の潜伏を経て重大な疾病を招来することが指摘されている。
【０００３】
そこで、現在では、多くの建築物等において、飛散のおそれがある壁や天井等に吹き付けられたアスベストや保温材として使用されていたアスベストを除去または撤去する対策が採られており、この結果多量のアスベストが廃棄物として発生している。
ちなみに、この種の飛散のおそれがあるアスベスト廃棄物については、「廃棄物の処理及び清掃に関する法律」において特別管理産業廃棄物に指定され、その排出から収集・運搬・処分までの処理基準が定められている。
【０００４】
そして、上記収集・運搬に係る処理基準においては、アスベスト等をプラスチック等の容器に収納するとともに、破損などにより飛散させないように慎重に取り扱うことや、運搬車両の荷台に覆いを掛けるなどの飛散防止対策を講じることが義務づけられている。また、上記処分に係る処理基準としては、プラスチック袋や容器等の耐水性の材料で二重に梱包するか、または十分な量のセメント等によって固形化したうえで所定の場所に直接埋め立て処分を行う方法や、溶融設備を用いて十分に溶融処理することにより無害化したうえで、普通の産業廃棄物として処理することが定められている。
【０００５】
このようなアスベストの処分方法のうち、前者の直接埋め立て処分する方法にあっては、大量のセメントが必要になるとともに、今後想定される排出量に対して、早期の埋め立て地の枯渇が懸念されている。また、後者の溶融設備における中間処理による無害化処分の方法にあっては、溶融温度によっては、アスベストを完全に無害化することが難しいという問題点があった。
【０００６】
そこで、下記特許文献１においては、アスベストとフロン分解無害化処理によって生成されたフロン分解物とを混合又は混練し、次いで当該混合物を低温加熱処理して成るアスベストの無害化処理方法が提案されている。
【０００７】
そして、上記従来の無害化処理方法によれば、フロン無害化処理によって生成されるフッ化カルシウムを融解剤として利用することにより、６００℃以下の加熱温度によってもアスベストを分解することができ、低エネルギーでアスベストを無害化処理することができる、とされている。
【０００８】
しかしながら、上記特許文献１に記載されているように、上記アスベストの無害化処理方法にあっては、別途、フロン分解無害化装置を用いて、放電によって空気をプラズマ化して超高温（約１０、０００℃）のアークを発生させ、そこにフロン〔例えば、フロン１２（ＣＣｌ2Ｆ2）〕と水蒸気（Ｈ2Ｏ）とを送り込んで分解処理する必要があり、大量のアスベスト廃棄物を処理するには、工程や設備が複雑化するとともに、処理費用の高騰化を招くという問題点があった。
【０００９】
また、アスベストとフロン分解無害化処理によって生成されたフロン分解物とを混合又は混練する際に、アスベストが飛散するおそれがある。このため、別途上記アスベストの飛散防止対策を採る必要があり、処理工程が全体として大掛かりなものになってしまうという問題点があった。
【００１０】
【特許文献１】特開２００５−１６８６３２号公報
【発明の開示】
【発明が解決しようとする課題】
【００１１】
そこで、本発明者等は、上記アスベスト廃棄物の無害化処理方法について鋭意研究を重ねた結果、アスベスト中の二酸化珪素（ＳｉＯ2）や酸化マグネシウム（ＭｇＯ）が、ロータリーキルンの窯尻部分から抜き出した塩素化合物を含有する仮焼セメント原料と固相反応し、かつ仮焼セメント原料中の塩素化合物が溶融することによって上記固相反応を促進させるとの知見を得るに至った。
【００１２】
本発明は、かかる知見に基づいてなされたもので、アスベスト廃棄物等のアスベスト含有物を、ロータリーキルンの窯尻部分から抜き出した仮焼セメント原料を利用して効率的に無害化処理することができるアスベスト含有物の無害化処理方法及びこれを利用したセメントの製造方法を提供することを課題とするものである。
【課題を解決するための手段】
【００１３】
上記課題を解決するために、請求項１に記載の発明は、セメント原料をプレヒータにて予熱して仮焼させた後に、窯前側に設けられた加熱手段によって内部が高温雰囲気に保持されたロータリーキルンの窯尻側に供給して、上記窯前側に送りつつ焼成するセメント製造工程を用いたアスベスト含有物の無害化処理方法であって、上記ロータリーキルンの窯尻部分または上記ロータリーキルンの窯尻側に仮焼セメント原料を供給する上記プレヒータの後段部分から抜き出した塩素濃度が０．３６ｗｔ％以上であって、かつ８００℃以上の仮焼セメント原料を、アスベスト含有物に加えて、混合手段によって混合し、得られた混合物をペレット状に造粒して上記ロータリーキルンの上記窯尻部分に戻すとともに、上記混合手段の内部に換気用気体を供給し、かつ上記混合手段の内部の気体を上記ロータリーキルンの上記窯前側から燃焼用空気の一部として供給することを特徴としている。
【００１５】
請求項２に記載の発明は、請求項１に記載のアスベスト含有物の無害化処理方法において、上記仮焼セメント原料と上記アスベスト含有物とに、さらに上記セメント製造工程から排出される塩素バイパスダストを加えて上記混合手段によって混合することを特徴としている。
【００１６】
請求項３に記載の発明は、請求項１または２に記載のアスベスト含有物の無害化処理方法において、上記仮焼セメント原料と上記アスベスト含有物とに、さらにフッ化カルシウムを含むフッ化物汚泥を加えて上記混合手段によって混合することを特徴としている。
【００１７】
請求項４に記載の発明は、請求項１ないし３のいずれか１項に記載のアスベスト含有物の無害化処理方法において、上記アスベスト含有物を粉砕手段によって粉砕した後に、上記仮焼セメント原料を加えて上記混合手段によって混合することを特徴としている。
【００１８】
請求項５に記載の発明は、請求項１ないし４のいずれか1項に記載のアスベスト含有物の無害化処理方法において、上記仮焼セメント原料と上記アスベスト含有物とを、加熱手段によって加熱することを特徴としている。
【００１９】
請求項６に記載の発明は、請求項１ないし５のいずれか1項に記載のアスベスト含有物の無害化処理方法において、上記混合手段によって、上記仮焼セメント原料と上記アスベスト含有物とを混合した後に、上記ロータリーキルンの窯尻部分に戻すことを特徴としている。
【００２０】
請求項７に記載の発明は、請求項１ないし６のいずれかに１項に記載のアスベスト含有物の無害化処理方法を用いたセメントの製造方法であって、上記アスベスト含有物に、上記ロータリーキルンの窯尻部分または上記プレヒータの後段部分から抜き出した塩素化合物を含有するセメント原料を加えて、混合した混合物を、上記ロータリーキルンの上記窯尻部分に戻して、この混合物中に含まれている仮焼セメント原料を、その他のセメント原料とともに焼成してセメントとし、かつ上記アスベスト含有物を上記セメントの一部とすることを特徴としている。
【００２１】
なお、本願発明において、窯尻部分とは、ロータリーキルンの窯尻側において当該ロータリーキルンを回転自在に支持する窯尻のケーシングおよびロータリーキルンの上流側に設けられてセメント原料を予熱するプレヒータから上記ケーシングに至る移送管、ならびに上記ロータリーキルンの前段に仮焼炉を有している場合には、この仮焼炉を含む部分を総称するものである。また、プレヒータの後段部分とは、プレヒータを構成している複数のサイクロンのうち内部が８００℃以上の高温雰囲気である後段のサイクロンを意味するものである。従って、上記ロータリーキルンの窯尻部分または上記ロータリーキルンの窯尻側に上記仮焼セメント原料を供給する上記プレヒータの後段部分から抜き出した塩素化合物を含有する仮焼セメント原料とは、上述のロータリーキルンの窯尻部分またはプレヒータを構成する後段の８００℃以上の高温雰囲気のサイクロンから抜き出した塩素化合物を含有する仮焼セメント原料を意味するものである。
【発明の効果】
【００２２】
請求項１〜６のいずれかに記載の発明によれば、プレヒータからロータリーキルンの窯尻部分における約８００℃以上の高温下にあるセメント原料は、焼成の前段階にあって、いわゆる仮焼された状態にある。そして、この仮焼セメント原料は、セメント原料である石灰石の熱分解により生じた酸化カルシウム（ＣａＯ）を多く含んでおり、一部、塩化カルシウム（ＣａＣｌ2）、塩化カリウム（ＫＣｌ）および塩化ナトリウム（ＮａＣｌ）などの塩素化合物を含有している。
【００２３】
このため、この仮焼セメント原料をアスベスト廃棄物等のアスベスト含有物に加えて混合手段によって混合する際に、混合物が窯尻部分などから抜き出した仮焼セメント原料によって約８００℃程度の反応温度以上に加熱されると、上記酸化カルシウム分とアスベスト中の二酸化珪素（ＳｉＯ2）や酸化マグネシウム（ＭｇＯ）との固相反応が生じる。それとともに、塩素化合物が融点温度まで加熱されることによって溶融塩となって、アスベスト含有物や酸化カルシウムなどの粒子間に均一に分散される。従って、上記固相反応は、本来反応速度が遅いが、上記溶融塩を介して進行することによって反応速度を速めることができる。これにより、上記固相反応によってＣａＭｇＳｉＯ4（Ｍｏｎｔｉｃｅｌｌｉｔｅ）、Ｃａ2ＳｉＯ4（ｄｉｃａｌｃｉｕｍ  ｓｉｌｉｃａｔｅ）、ＭｇＯなどが生成されて、効率的にアスベストを無害化することができる。
【００２４】
その際、仮焼セメント原料の塩素濃度が０．３６ｗｔ％以上である場合には、上記溶融塩の固相反応の促進剤としての作用によって、より確実にアスベスト含有物を無害化することができ、また、請求項２に記載の発明のように、塩素バイパスダストを混合することによって塩素濃度を上げることができるため、上記溶融塩による作用を高めることができる。これは、塩素バイパスダストには塩化カルシウム、塩化カリウムおよび塩化ナトリウムなどの塩素化合物が一部の酸化カルシウムとともに含まれて、この塩素化合物による塩素バイパスダストの塩素濃度が仮焼セメント原料よりも著しく高いためである。
【００２５】
さらに、上記特許文献１に記載されているように、上記アスベスト含有物に溶解剤としてフッ化カルシウム（ＣａＦ2）を加えることにより、Ｃａ4Ｓｉ2Ｏ7Ｆ2（Ｃｕｓｐｉｄｉｎｅ）などが生成されるため、より確実にアスベストを分解することができる。
このフッ化カルシウムを含む廃水として、半導体製造工場等から排出されるフッ化汚泥がある。詳述すると、半導体製造工場等において、ウエハのエッチング工程から大量に排出されるフッ化水素酸と硝酸を主体とした混酸の廃水は、炭酸カルシウムや水酸化カルシウム等のカルシウム塩が添加されて、排水処理の対象となる上記フッ素を凝集沈殿させたフッ化物汚泥とされた後に、処理される。このため、このフッ化物汚泥には、上記フッ化カルシウムが多く含まれている。
【００２６】
そこで、請求項３に記載の発明によれば、このフッ化カルシウムを含むフッ化物汚泥を、上記セメント製造工程から抜き出した仮焼セメント原料とアスベスト含有物とに加えて混合すれば、アスベストの無害化を確実に促進させることができる。
【００２７】
この際に、上記アスベスト含有物が塊状をなしている場合には、請求項４に記載の発明のように、予め当該アスベスト含有物を粉砕手段によって粉砕した後に、上記仮焼セメント原料を、さらに必要に応じて塩素バイパスダストやフッ化物汚泥を加えて混合することが好ましい。また、この混合の際に、請求項５に記載の発明のように、加熱手段によって、仮焼セメント原料やアスベスト含有物などによる混合物を、上記固相反応や分解反応の反応温度まで加熱でき、混合物中の全てのアスベストを確実に無害化することができる。
【００２８】
さらに、請求項６に記載の発明のように、これらの混合物を再びロータリーキルンの窯尻部分に戻すことにより、最終的に仮焼セメント原料は、ロータリーキルン内において約１４５０℃の高温下において焼成されてセメントとなるとともに、無害化されたアスベスト含有物も、当該セメントの一部として利用される。さらに、上記フッ化物汚泥も無害化処理することができる。
従って、請求項７に記載の発明のように、効率的にセメントを製造することができるとともに、上記セメント製造設備を用いて、容易かつ確実にアスベスト含有物を無害化処理することができる。
【発明を実施するための最良の形態】
【００２９】
（第１の実施形態）
以下、本発明に係るセメント製造工程を用いたアスベスト含有物の処理方法について説明する。
図１は、上記処理方法に用いられる処理システムを示すもので、先ず上記セメント製造設備について説明すると、図１中符号１がセメント原料を焼成するためのセメントキルンである。
【００３０】
このセメントキルン１は、軸芯回りに回転自在に設けられたロータリーキルンであり、その図中左方の端部に、窯尻ハウジング２ａおよびその立ち上がり部２ｂからなる窯尻部分２が設けられている。この窯尻部分２の上流側に、セメント原料を予熱するためのプレヒータ３が設けられるとともに、図中右方の窯前４に、内部を加熱するための主バーナ５が設けられている。なお、図中符号６は、焼成後のセメントクリンカを冷却するためのクリンカクーラである。
【００３１】
ここで、プレヒータ３は、上下方向に直列的に配置された複数段のサイクロンによって構成されており、供給管７を介して最上段のサイクロンにセメント原料が供給されるとともに、最下段のサイクロンの底部には、内部のセメント原料をセメントキルン１の窯尻部分２へと送る移送管３ａが接続されている。
【００３２】
他方、窯尻部分２の立ち上がり部２ｂには、セメントキルン１から排出された燃焼排ガスを最下段のサイクロンへと供給する排ガス管３ｂが接続されており、最上段のサイクロンの上部から排出された排ガスが、図示されない排気ファンによって排気ライン８を介して排気されて行くようになっている。
【００３３】
そして、上記構成からなるセメント製造設備には、アスベスト含有物の処理設備が併設されているとともに、塩素バイパスと呼ばれる排ガス処理システムが備えられている。
この排ガス処理システムは、セメントキルン１から排出されてプレヒータ３へと送られるダストを含む排ガスの一部を抽気ガスとして抽気して、当該抽気ガスに含まれていた塩素化合物を除去するためのものであり、図中符号２０が立ち上がり部２ｂに接続されて上記抽気ガスを抽気する抽気ダクトである。
【００３４】
そして、この処理システムにおいては、この抽気ダクト２０に沿って、順次この抽気ダクト２０から抽気された抽気ガスを冷却する冷却器２１と、この冷却器２１から排気された排気ガスから所定粒度以上のダストを分離するサイクロン型分級機２２と、このサイクロン型分級機２２において所定粒度以上のダストが分離された抽気ガスから微粉ダストである塩素バイパスダストＤを捕集・除去するバグフィルタ２３と、このバグフィルタ２３の下流側に設けられて抽気ガスを吸引する誘引ファン２４とが設けられている。
【００３５】
ここで、冷却器２１は、冷却ファンからの冷気や冷却ポンプの冷却水を冷媒として抽気ガスを熱交換させることにより、抽気ガスの温度を塩素化合物の融点（６００℃〜７００℃）以下に冷却するものであり、サイクロン型分級機２２の底部には、分離された所定粒度以上のダストを再び窯尻部分２へと戻す戻り配管２５が接続されている。
【００３６】
一方、プレヒータ３の最下段のサイクロンの底部からセメントキルン１へとセメント原料を送る移送管３ａ（窯尻部分）の中間部には、プレヒータ３において仮焼されてセメントキルン１に送られる約８００℃以上のセメント原料の一部を取り出す抜き出管１３の一端部が接続されている。そして、この抜き出管１３は、開閉弁１３ａを介してその下端部がアトライター装置（混合装置）３０の導入側に接続されている。
【００３７】
このアトライター装置３０は、有底円筒状の本体３１の上端部が天板３２によって閉じられることにより、内部に粉砕・撹拌・混合用の空間３３が形成されるとともに、天板３２の中心部から垂下されてモータＭにより回転駆動される軸３４に、径方向に突出する複数本の粉砕撹拌翼３５が固定されたものである。
また、このアトライター装置３０の導入側には、別途粉砕済みのアスベスト廃棄物が投入されるホッパ１０の下部排出口が開閉手段１１を介して接続されている。さらに、上記導入側には、バグフィルタ２３によって回収した塩素バイパスダストＤを供給する供給配管４０が接続されるとともに、図示されないフッ化物汚泥の供給配管が接続されており、本体３１の外周には、全周に亘って加熱手段としてのヒータ３６が設けられている。
これにより、アトライター装置３０は、ホッパ１０から供給されるアスベスト廃棄物と、抜き出管１３から供給される仮焼セメント原料とに、必要に応じて塩素バイパスダストＤやフッ化物汚泥を加えて、粉砕、撹拌、混合しつつ加熱するようになっている。
【００３８】
さらに、このアトライター装置３０の天板３２には、内部空間３３に換気用空気を導入させる供給管４４が接続されている。また、本体３１の上部には、内部空間３３の空気を吸引するファンＦが介装された排気管１７の一端部が接続されるとともに、この排気管１７の他端部は、セメントキルン１の窯前４であって、かつ主バーナ５の上部近傍に導入されている。そして、本体３１の底部には、空間３３に収容されているアスベスト廃棄物や仮焼セメント原料などを粉砕・撹拌・混合した混合物を、再びセメントキルン１の窯尻部分２に戻す戻り管１８が接続されている。
【００３９】
また、この戻り管１８には、アスベスト廃棄物や仮焼セメント原料などの混合物をペレット状に造粒させる造粒手段としてのブリケット成形機４５が介装されており、このブリケット成形機４５によって造粒して、窯尻部分２に戻すことにより、アスベスト廃棄物中のアスベスト繊維の飛散可能性が極めて小さくなる。
【００４０】
次に、以上の構成からなる処理システムを用いた本発明に係るアスベスト含有物の無害化処理方法について説明する。
先ず、供給管７からプレヒータ３の１段目のサイクロンに供給されたセメント原料は、順次下方のサイクロンへと落下するにしたがって、下方から上昇するセメントキルン１からの高温の排ガスによって予熱され、最終的に最下段のサイクロンから移送管３ａを介してセメントキルン１に導入される。この際に、窯尻部分２は、約９００℃の温度雰囲気になっており、当該窯尻部分２に導入されたセメント原料は、８００℃以上の温度を有して仮焼された状態になっている。
【００４１】
そして、この窯尻部分２からセメントキルン１内に送られた上記セメント原料は、セメントキルン１内おいて、窯前４側へと徐々に送られる過程において、主バーナ５からの燃焼排ガスによって約１４５０℃まで加熱され、焼成されてクリンカとなる。次いで、窯前４に到達したクリンカは、クリンカクーラ６内に落下して図中右方に送られる。この際に、クリンカクーラ６内に供給された空気によって所定温度まで冷却されて最終的に当該クリンカクーラ６から取り出される。
【００４２】
これと併行して、セメントキルン１の窯尻部分２側から、あるいは窯前４側から、下水汚泥やプラスチックフィルムなどの廃棄物が内部に投入され、セメント原料の一部あるいは加熱用燃料の一部として利用される。
このため、各種の廃棄物、特に、プラスチックフィルムなどの合成樹脂からなる廃棄物によって、燃焼時に揮発性を有する塩素成分が発生し、セメントキルン１内から排出される排ガスに同伴して、窯尻部分２の立ち上がり部２ｂから排ガス管３ｂを通じてプレヒータ３へと送られていく。そして、プレヒータの上段側移送されるに連れて雰囲気温度が低下して融点以下になると、凝集してセメント原料に付着し、再びセメントキルン１内へと送られるとともに、雰囲気温度の上昇に伴って再度蒸発することになり、セメント焼成設備の系内に取り込まれた塩素成分は、セメントキルン１およびプレヒータ３内で蒸発および凝集を繰り替えして循環し、かつこれに新たに投入される廃棄物から発生する塩素成分が加わることにより、その濃度が上昇して、プレヒータなどにコーチングが生じ、または製造されたセメントクリンカーの品質低下を招きうる。さらに、加熱用燃料の一部として投入される石炭やコークスによって同様にセメント焼成設備内の硫黄成分の濃度も上昇する。
【００４３】
そこで、アスベスト含有物の処理設備においては、セメントキルン１から排出されてプレヒータ３へとダストを含む排ガスの一部を、連続的あるいは間欠的に誘引ファン２４を作動させることにより、立ち上がり部２ｂに接続された抽気ダクト２０を通じて、排ガス処理システムに抽気する。
これにより、この抽気ダクト２０によって送られた排ガスを、冷却器２１によって、塩素化合物の融点（６００℃〜７００℃）まで冷却した後に、サイクロン型分級機２２に送る。そして、５μｍ〜３０μｍの範囲内の所定粒度以上のダストを戻り配管２５を通じて窯尻部分２へと戻すとともに、この所定粒度以上のダストが分離された排ガスを、バグフィルタ２３へと送って、微粉ダストＤを捕集除去する。
【００４４】
他方、上記セメント製造設備に搬入された粉砕済みのアスベスト廃棄物をホッパ１０内に投入し、開閉手段１１を開くことにより、アトライター装置３０内に供給する。また、このアトライター装置３０内には、開閉弁１３ａを開くことにより、抜き出管１３から塩素濃度や硫黄濃度の高くなった仮焼セメント原料が投入される。
【００４５】
そして、モータＭによって粉砕撹拌翼３５を回転させて、アスベスト廃棄物と仮焼セメント原料とを粉砕、撹拌、混合しつつヒータ３６によって加熱する。その際、供給配管４０から塩素バイパスダストＤを、好ましくは特願２００７−１７０６０２において開示した融点が最も低くなるＫＣｌ／ＮａＣｌ（モル比）＝０．５〜０．９の範囲内のダストＤを供給するとともに、必要に応じて供給配管からフッ化物汚泥やその他の塩類を供給する。
【００４６】
ここで、上記フッ化物汚泥について詳述すると、当該フッ化物汚泥のうち、処理すべき排水として大量に発生するものは、半導体製造工場等においてウエハのエッチング工程から排出されるフッ化水素酸と硝酸を主体とした混酸の廃水である。そして、この廃水は、特にフッ素が排水規制の対象となるために、一般に炭酸カルシウムや水酸化カルシウム等のカルシウム塩を添加して、上記フッ素を凝集沈殿する処理方法が採用されている。
【００４７】
すなわち、上記廃水中のフッ素は、フッ化水素酸（ＨＦ）、フッ化アンモニウム（ＮＨ4Ｆ）、フッ化ナトリウム（ＮａＦ）、珪フッ化水素酸（Ｈ2ＳｉＦ6）等の化合物となっており、これに上記カルシウム塩として、例えば水酸化カルシウム（Ｃａ（ＯＨ）2）を添加することにより、溶解度の低いフッ化カルシウムＣａＦ2を生成させるものである。
従って、本実施形態においては、上記フッ化カルシウムＣａＦ2を含むフッ化物汚泥を、アトライター装置３０内に導入する。
【００４８】
すると、アスベスト中の二酸化珪素（ＳｉＯ2）や酸化マグネシウム（ＭｇＯ）が、酸化カルシウムと固相反応することにより無害化される。それとともに、アスベスト廃棄物は、フッ化カルシウムにより分解されて無害化される。この際に、仮焼セメント原料や塩素バイパスダストＤなどによって取り込まれた塩素成分や硫黄成分は、カルシウム塩やアルカリ塩となって溶融して上記固相反応の促進剤として作用する。
【００４９】
次いで、この無害化されたアスベスト廃棄物や仮焼セメント原料などの混合物を、戻り管１８を通じてブリケット成形機４５に供給して造粒させた後に、再びセメントキルン１の窯尻部分２に戻す。
これにより、上記造粒物中の仮焼セメント原料は、他の仮焼セメント原料と混合されつつセメントキルン１内において焼成されてセメントになるとともに、無害化されたアスベスト含有物なども、上記セメントの一部として利用される。
【００５０】
このように、上記セメント製造設備を用いて、容易かつ確実にアスベスト廃棄物を無害化処理することができるとともに、セメントを製造することができる。
【００５１】
なお、本発明は、上述の実施の形態に何ら限定されるものでなく、例えばブリケット成形機４５などが設けられていなくてもよく、また、ブリケット成形機４５に代えて、リング式押出成型機、スクリュー式押出成形機や石臼式押出成形機などを他の造粒手段を用いても、また、アトライター装置３０に代えて他の混合手段を用いてもよい。さらに、アスベスト廃棄物や仮焼セメント原料に、フッ化物汚泥などを加えなくてもよい。
【００５２】
次いで、実施例について説明する。
【００５３】
まず、仮焼原料Ａ、Ｂおよび塩素バイパスダストを用意して、これらの塩素および酸化カルシウムの割合をそれぞれ調べて、表１に示した。
【００５４】
【表１】
0004968141.tif 000002
【００５５】
次いで、これらの原料と、アスベスト廃棄物としてのクリソタイル１．５ｇとを、表２に示す割合でそれぞれ配合し、次いで、少量の水を加えて混練することにより、ペレット１〜４を成形した。
【００５６】
【表２】
0004968141.tif 000003
【００５７】
なお、クリソタイルをＭｇＯに分解するのに必要な酸化カルシウムのモル数はクリソタイルの4倍となるが、クリソタイルを充分に反応させて分解させるべく、表２の最右欄に示したＣａＯ／クリソタイルのモル比がその１．５倍の６程度になるように配合した。
【００５８】
次いで、Ｎｏ．１〜４のペレットを、空気雰囲気下にて８００℃で２時間加熱した後に、Ｘ線回析法および位相差顕微鏡による分散染色法により、クリソタイルの観察をして無害化判定を行った結果を表３に示す。
【００５９】
【表３】
0004968141.tif 000004
【００６０】
クリソタイル中の結晶水の脱水によって生じるフォルステライト（Ｍｇ2ＳｉＯ4）は、繊維状であり、人体に対して有害である可能性を残している。表３から判るように、Ｎｏ．１のペレットには、そのフォルステライトのピークが検出されており、また、分散染色法によってクリソタイルの繊維が７本検出された。
従って、塩素濃度が０．３６ｗｔ％以上であれば、より確実にアスベストを無害化することができる。
【図面の簡単な説明】
【００６１】
【図１】本実施形態に用いられる処理システムを示す概略構成図である。
【符号の説明】
【００６２】
１  セメントキルン（ロータリーキルン）
２  窯尻部分
３  プレヒータ
３ａ  移送管（窯尻部分）
４  窯前
１０  アスベスト廃棄物等の投入用ホッパ
１３  仮焼セメント原料の抜き出管
２０  抽気ダクト
３０  アトライター装置(混合手段)
３６  加熱手段
４４  換気用空気の供給管
【図１】
0004968141.tif 000005